(57)【要約】      （修正有）【課題】寝袋の使用者に優れた冷却効果を提供することによって熱中症対策及び快適な環境提供を実現することが可能な寝袋を提供する。【解決手段】人を開閉自在に収容する袋状の本体２と、本体内に外気を送り込むファン３と、を有するファン付き寝袋１であって、ファンが本体に着脱自在に取り付けられる。【選択図】図１
0003231251.tif 000002
【実用新案登録請求の範囲】
【請求項１】
人を開閉自在に収容する袋状の本体と、
前記本体内に外気を送り込むファンと、
を有することを特徴とするファン付き寝袋。
【請求項２】
前記ファンが前記本体に着脱自在に取り付けられること、
を特徴とする請求項１に記載のファン付き寝袋。
【請求項３】
前記ファンが前記人の足元に対応する位置に設けられること、
を特徴とする請求項１又は２に記載のファン付き寝袋。
【請求項４】
前記本体が通気性窓を更に有すること、
を特徴とする請求項１〜３のいずれかに記載のファン付き寝袋。
【請求項５】
前記本体が、前記人の肩に対応する位置から外側に延びる腕部を更に有すること、
を特徴とする請求項１〜４のいずれかに記載のファン付き寝袋。
【請求項６】
前記腕部が、前記人の腕先を外部に露出させるためのファスナを先端部に有すること、
を特徴とする請求項５に記載のファン付き寝袋。
【考案の詳細な説明】
【技術分野】
【０００１】
本考案は、利用者の身体を好適に冷却可能なファン付き寝袋に関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが重要であり、処置が遅れると死に至るケースもある。
【０００３】
上記のような熱中症対策及び快適な作業環境を提供するために、身体を冷却しつつ作業や運動を可能とする空調衣服が知られている（例えば、特許文献１参照）。空調衣服とは、衣服用ファンが取り付けられた衣服であり、衣服と、身体又は下着と、の間に外気を取り入れて、衣服内の空気を強制的に入れ替えるものである。
【先行技術文献】
【特許文献】
【０００４】
【特許文献１】国際公開第０２／０６７７０８号パンフレット
【考案の概要】
【考案が解決しようとする課題】
【０００５】
ところで、アウトドアや災害避難といった様々なシーンで寝袋が利用されている。しかし、寝袋内の使用者は熱中症対策及び快適な環境提供を実現するために空調衣服を有効に利用することが期待できず、何らかの方法が望まれている。
【０００６】
そこで、本考案の目的は、上記問題に鑑みて創作されたものであり、寝袋の使用者に優れた冷却効果を提供することによって熱中症対策及び快適な環境提供を実現することが可能な寝袋を提供することにある。
【課題を解決するための手段】
【０００７】
上記の課題を解決すべく、本考案は、
人を開閉自在に収容する袋状の本体と、
前記本体内に外気を送り込むファンと、
を有することを特徴とするファン付き寝袋
を提供する。
【０００８】
上記の本考案のファン付き寝袋においては、前記ファンが前記本体に着脱自在に取り付けられること、が好ましい。
【０００９】
また、上記の本考案のファン付き寝袋では、前記ファンが前記人の足元に対応する位置に設けられること、が好ましい。
【００１０】
また、上記の本考案のファン付き寝袋では、前記本体が通気性窓を更に有すること、が好ましい。
【００１１】
また、上記の本考案のファン付き寝袋では、前記本体が、前記人の肩に対応する位置から外側に延びる腕部を更に有すること、が好ましい。
【００１２】
また、上記の本考案のファン付き寝袋では、前記腕部が、前記人の腕先を外部に露出させるためのファスナを先端部に有すること、が好ましい。
【考案の効果】
【００１３】
本考案によれば、寝袋の利用者に優れた冷却効果を提供して、熱中症対策及び快適な環境提供を実現することが可能な寝袋を提供することができる。
【図面の簡単な説明】
【００１４】
【図１】本考案の一実施形態に係るファン付き寝袋１の概略図である。
【図２】ファン付き寝袋１の上面図である。
【図３】ファン付き寝袋１の使用方法の説明図である。
【図４】人Ｈがファン付き寝袋１に入る手順を示す図である。
【考案を実施するための形態】
【００１５】
以下、本考案に係るファン付き寝袋の代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。
【００１６】
図１（Ａ）に示すように、ファン付き寝袋１（以下、寝袋１という。）は、本体２及びファン３を含む。
【００１７】
本体２は、人Ｈを開閉自在に収容する袋体である。本体２は、防水性及び保温性を有する生地で作製されてもよい。
【００１８】
本体２を開閉するためにファスナ２４が用いられている。ファスナ２４としてはスライドファスナが好適に用いられるが、ボタン、面ファスナなどの他の種類のファスナでもよい。本実施形態では、ファスナ２４は、人Ｈの頭部から脚部に向かう縦方向と、両肩に沿う横方向と、に設けられている。したがって、人Ｈは、上半身を起こして手作業を行うことができる（図１（Ｂ）参照）。
【００１９】
本体２は通気性窓２１を更に有することが好ましい。通気性窓２１は、本体２内の空気を排気したり、本体２内の人Ｈが外部の様子を見たりするために利用される。したがって、通気性窓２１は、人Ｈが本体２内に仰向けで寝ころんだ場合に、人Ｈの頭部側に対応する位置（特に顔面に対応（対向）する位置）に設けられることが好ましい。
【００２０】
本体２は、腕部２２，２３を更に有することが好ましい。腕部２２，２３は、本体２内の人Ｈが腕を横に広げることを可能にするために設けられている。腕部２２，２３は、人Ｈの肩に対応する位置から外側に延びている。
【００２１】
腕部２２，２３は、人Ｈが腕先を外部に露出させることを可能にするために、先端部にファスナ２５，２６を有していてもよい。ファスナ２５，２６としてはスライドファスナが好適に用いられるが、ボタン、面ファスナなどの他の種類のファスナでもよい。
【００２２】
図３に示すように、ファン３は、本体２内に外気を送り込むものであり、本体２に着脱自在に取り付けられる。図３（Ａ）の例では、本体２の穴（図示せず）にファン３を通し、ファン３のフランジ部（図示せず）と内側からのリング３１で穴の周縁部を挟むとともに、リング３１をファン３に嵌め（締め付け）て本体２に装着される。なお、リング３１はワッペンであってもよい。
【００２３】
図３（Ｄ）に示すように、ファン３は、人Ｈの足元に対応する位置に設けられることが好ましい。また、本体２の内側においてファン３を覆う通気性カバー（図示せず）が設けられてもよい。通気性カバーによりファン３と人Ｈの足先とが隔てられ、ファン３の損傷や人Ｈの怪我を回避することができる。
【００２４】
ファン３は、バッテリ４によって電力を供給される。バッテリ４には、ＯＮ・ＯＦＦ及び風量を切り替えるためのスイッチが設けられている。ファン３とバッテリ４とはケーブル３２を介して接続されている。
【００２５】
次いで、寝袋１の使用手順を以下に説明する。
キャンプ場、避難所等の使用場所において本体２を広げる。そして、図３（Ａ），（Ｂ）に示すようにリング３１にファン３を装着することで、ファン３を本体２に取り付けることができる。
【００２６】
次いで、図３（Ｃ）に示すように、ケーブル３２で、ファン３とバッテリ４とを接続する。例えば、ケーブル３２は、ファン３横の通し穴から出て、固定用ループ（ガイド）３３を通り、本体２に設けられたポケット内のバッテリ４と接続する。
【００２７】
人Ｈが本体２内に入り、ファスナ２４を締める。例えば、図４（Ａ）に示すように、人Ｈが足先をファン３側に向けて本体２に入り込み、ファスナ２４を縦に締め（図４（Ｂ）参照）、次いで横に締める（図４（Ｃ）参照）。そうすると、ファン３が人Ｈの足元に、通気性窓２１が人Ｈの頭部に、それぞれ位置した状態で、人Ｈが本体内に収まる。
【００２８】
このとき、ファスナ２５，２６を開けておくことで、人Ｈは、腕部２２，２３の先端から腕先を出すことができ（図２参照）、寝袋１内で腕を自由に動かせる。したがって、人Ｈは窮屈な態勢を強いられない。また、人Ｈは、寝袋１に入ったまま、本体２の外側にあるスイッチ４を操作でき、利便性・操作性が向上する。
【００２９】
そして、バッテリ４をＯＮにすると、ファン３が作動し、風が寝袋１内に流れる。つまり、図３（Ｄ）に示すように、本体２内の空気が強制的に循環させられて、本体２内の人Ｈを冷却する。このとき、ファン３が人Ｈの足元に、通気性窓２１が人Ｈの頭部側に位置することで、空気が人Ｈの足元から頭部までの距離を十分に流れ、十分な冷却効果を期待できる。
【００３０】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【００３１】
例えば、上記実施形態においては、通気性窓２１を顔面に対向する位置に設ける場合について述べたが、通気性窓は頭頂部に対応する位置に設けられてもよく、また、顔面に対応する位置及び頭頂部に対応する位置の両方に設けられてもよい。
【符号の説明】
【００３２】
１  ファン付き寝袋
２  本体
３  ファン
４  バッテリ
２１  通気性窓
２２，２３  腕部
２４，２５，２６  ファスナ
【図１】
0003231251.tif 000003
【図２】
0003231251.tif 000004
【図３】
0003231251.tif 000005
【図４】
0003231251.tif 000006